(57)【特許請求の範囲】
【請求項１】
操作レバーの牽曳を繰り返してボディの内部に組み込んだポンプを駆動することによって容器内の内容物を吸引、加圧、圧送して噴射ノズルを通して該内容物を外界へ向けて噴出するトリガー式液体噴出器であって、
前記ボディの外表面又はボディを保護する保護カバーの外表面の上面、側面及び背面のそれぞれを、噴射ノズルを残して覆い隠す隔壁を有するとともに、該ボディに対して背面側からスライド可能に装着されるヘッドカバーを設け、
前記ヘッドカバーの背面側隔壁に、該背面側隔壁と一体連結する払拭部を設け、該背面側隔壁の下端縁に、ボディ又は保護カバーに設けた係合部に連係する抜け止め係止片を設け、
前記ヘッドカバーの背面側隔壁に、該ヘッドカバーの内側へ向けて凹ませた段部を設け、該段部の上面に、該ヘッドカバーの着脱に際して指がかりとなる突起を形成することを特徴とするトリガー式液体噴出器。
【請求項２】
前記ヘッドカバーの上面側隔壁に、前記ボディ又は保護カバーに設けた凹部又は凸部に係合する凸部又は凹部を形成する請求項１に記載のトリガー式液体噴出器。
【発明の詳細な説明】
【技術分野】
【０００１】
本発明は、トリガー式液体噴出器に関するものであり、特に、内容物の噴射に先立ってその噴射すべき面に対し掃除を行うことができ、あるいは噴射物を均一に塗り広げる等の作業を速やかに実施し得る機能を付加しようとするものである。
【背景技術】
【０００２】
黴取り剤や洗剤、衣料用糊剤、住居用ワックス、整髪剤、芳香剤等の液体を入れた容器においては、操作レバーを牽曳することによってボディ内のポンプを駆動して容器内の液体を直線状、霧状あるいは泡状にして噴射させるトリガー式の噴出器が多用されており、これにより液体の効率的な供給を可能にしている。
【０００３】
この種の噴出器は、その使用目的が容器内の内容物を上記の如き種々の形態で噴射させることにあるが、近年では、内容物の噴射に先立って噴射すべき面を綺麗に掃除でき、また、内容物の噴射後に噴射物を均一に塗り広げることができるようにブラシ等の払拭具を備え付けた高機能型の商品も開発されてきている（例えば、特許文献1参照）。
【先行技術文献】
【特許文献】
【０００４】
【特許文献１】特開２００２−３２０８８７号公報
【発明の概要】
【発明が解決しようとする課題】
【０００５】
しかしながら従来の払拭具は、小型で簡便な着脱を可能とした構成となっているものの、サイズが小さいために紛失してしまうことや、把持できる領域が狭いために作業を行う面に力を加えにくいという課題があった。また、払拭具を取り外す煩わしさから、これを噴出器に取り付けたまま使用したいとする要望があるものの、従来の払拭具は通常、取り外して使用することを前提としているために、噴出器に装着した状態で作業するとぐらつき等が発生して、効率よく作業を行うことは困難であった。
【０００６】
本発明は、このような従来の問題点を解決することを課題とするものであり、その目的は、取り外して使用する際に把持できる領域が広いうえ、噴出器に装着した状態では邪魔にならず、また、噴出器に装着したままでも噴射すべき面の掃除ができる払拭具を備えた、トリガー式液体噴出器を提案するところにある。
【課題を解決するための手段】
【０００７】
本発明は、操作レバーの牽曳を繰り返してボディの内部に組み込んだポンプを駆動することによって容器内の内容物を吸引、加圧、圧送して噴射ノズルを通して該内容物を外界へ向けて噴出するトリガー式液体噴出器であって、
前記ボディの外表面又はボディを保護する保護カバーの外表面の上面、側面及び背面のそれぞれを、噴射ノズルを残して覆い隠す隔壁を有するとともに、該ボディに対して背面側からスライド可能に装着されるヘッドカバーを設け、
前記ヘッドカバーの背面側隔壁に、該背面側隔壁と一体連結する払拭部を設け、該背面側隔壁の下端縁に、ボディ又は保護カバーに設けた係合部に連係する抜け止め係止片を設け、
前記ヘッドカバーの背面側隔壁に、該ヘッドカバーの内側へ向けて凹ませた段部を設け、該段部の上面に、該ヘッドカバーの着脱に際して指がかりとなる突起を形成することを特徴とするトリガー式液体噴出器である。
【０００８】
前記ヘッドカバーの上面側隔壁に、前記ボディ又は保護カバーに設けた凹部又は凸部に係合する凸部又は凹部を形成することが好ましい。
【発明の効果】
【００１０】
ボディ又は保護カバーに対してスライド可能に装着される払拭部付きのヘッドカバーを設け、ヘッドカバーの背面側隔壁の下端縁に、ボディ又は保護カバーに設けた係合部に連係する抜け止め係止片を設けているので、係合部と係止片との連係を解除することでヘッドカバーそのものを払拭具として使用することができる。このため、従来の払拭具よりもサイズが大きくなって持ちやすくなり、作業を行う面に力を加えやすくなるので、効率よく作業を進めることができる。また、ヘッドカバー自身が払拭具であるため、噴出器に装着しても邪魔になることがない。
【００１１】
ヘッドカバーの上面側隔壁に、ボディ又は保護カバーに設けた凹部又は凸部に係合する、凸部又は凹部を形成する場合は、ボディ又は保護カバーに装着した際にヘッドカバーの位置が安定するので、ヘッドカバーを取り付けた状態での作業が行い易くなる。
【００１２】
ヘッドカバーの背面側隔壁に、ヘッドカバーの内側へ向けて凹ませた段部を設け、この段部の上面に、ヘッドカバーの着脱に際して指がかりとなる突起を設けたので、ヘッドカバーの着脱がより行い易くなる。
【図面の簡単な説明】
【００１３】
【図１】本発明に従うトリガー式液体噴出器の実施の形態を示す、側面視での断面図である。
【図２】図１に示すトリガー式液体噴出器のヘッドカバーを示す、（ａ）は断面図であり、（ｂ）は背面図である。
【図３】図２（ａ）に示す矢印Ａに沿う矢視図である。
【図４】本発明に従うトリガー式液体噴出器の他の実施の形態を示す、側面視での断面図である。
【図５】図４に示すトリガー式液体噴出器のヘッドカバーを示す断面図である。
【図６】図５に示す矢印Ｂに沿う矢視図である。
【発明を実施するための形態】
【００１４】
以下、図面を参照して、本発明をより具体的に説明する。
図１は、本発明に従うトリガー式液体噴出器の実施の形態を示す、側面視での断面図であって、図２は、図１に示すトリガー式液体噴出器のヘッドカバーを示す、（ａ）は断面図であり、（ｂ）は背面図であって、図３は、図２（ａ）に示す矢印Ａに沿う矢視図である。なお、以下の説明において前面側とは、図１を参照して、ボディ１０に対して噴射ノズル４０を設ける側であり、また、背面側とは、ボディ１０に対して払拭部７４を設ける側である。
【００１５】
図１における、符号１０は、ポンプ１１を組み込んだボディ、符号２０は、ボディ１０を容器の口部（図示せず）に着脱自在に装着するベースキャップ、符号３０は、容器内の内容物をボディ１０の内側に形成した通路に導入する吸引管、符号４０は、ボディの先端に装着される噴射ノズル、符号５０は、ボディ１０の側面に揺動可能に保持される操作レバー、符号６０は、操作レバー５０の両側に設けられ、ポンプ１１のピストン１１ａを弾性支持する弾性部材である。
【００１６】
また、ボディ１０の背面側には、後述するヘッドカバーの抜け止め係止片と連係する係合部１０ａ（図示の例では上向きの爪状）を設けている。さらに、ボディ１０の上面側には、後述するヘッドカバーの凸部と係合する凹部１０ｂを形成している。
【００１７】
符号７０は、ボディ１０の外表面に装着されるヘッドカバーである。ヘッドカバー７０は、ボディ１０の上面、側面及び背面のそれぞれを覆い隠す、上面側隔壁７１、側面側隔壁７２、背面側隔壁７３を一体連結して、横断面形状が下方を開放したコ字状となるものである。
【００１８】
また、図２に示すように側面側隔壁７２の内面には、横方向へ伸びる溝７２ａが設けられていて、ボディ１０の側面に設けた凸状のリブ（図示は省略）に溝７２ａを案内させることで、ヘッドカバー７０を、ボディ１０に背面側からスライドさせて装着することができる。なお、溝７２ａとリブとを相互に入れ換えて、側面側隔壁７２にリブを設けてもよい。さらに、上面側隔壁７１の下面には、ヘッドカバー７０のスライド完了時にボディ１０の凹部１０ｂに係合する凸部７１ａを設けている。なお、ボディ１０に設けた凹部１０ｂに代えて凸部を設けるとともに、ヘッドカバー７０に設けた凸部７１ａに代えて凹部を設けてもよい。
【００１９】
背面側隔壁７３には、内容物を噴射する面に対して掃除を行うことができる払拭部７４が設けられている。図示の例の払拭部７４は、背面側隔壁７３と同樹脂材料にて一体成形されるブラシであるが、他にも複数の毛束をインサート成形等にて一体連結させても、またスポンジやフェルト等を一体連結させてもよく、また、これらを接着剤等で取り付けてもよい。
【００２０】
背面側隔壁７３の下端縁には、背面側隔壁７３と一体連結するとともに前面側に向けて伸延する係止片（抜け止め係止片）７５を設けている。係止片７５の前面側端縁には、ボディ１０の係合部１０ａに連係する下向きの爪部７５ａを形成している。また、係止片７５の中間部には、係止片７５より下方に向けて突出した形状となり、係合部１０ａと爪部７５ａとの連係を解除するにあたって指をあてがう部位となる押圧部７５ｂを設けている。
【００２１】
さらに、背面側隔壁７３の上部は、ヘッドカバー７０を内側へ凹ませた段部７６を設けている。これにより、段部７６の上面が係止片７５に近づく結果、ヘッドカバー７０を取り外すにあたって、段部７６の上面を指（例えば人差し指）で押さえた状態で、親指で係止片７５を押し上げることができるので、片手でも簡単に取り外しが行えるようになる。また、段部７６の上面に突起７７を設ける場合は、この突起７７が指がかりとなって指が滑りにくくなるので、ヘッドカバー７０の取り外しがより行い易くなる。
【００２２】
上記の構成になるトリガー式液体噴出器は、操作レバー５０の牽曳を繰り返してボディ１０内のポンプ１１を駆動することで、容器内の内容物は、吸引管３０を通してボディ１０内に導入され、噴射ノズル４０から外界へと噴射される。なお本発明に従うトリガー式液体噴出器の内部構造は、図示した例に限られず、通常使用される他の構造を用いることができる。
【００２３】
そして、噴射すべき面に対し予め掃除を行う場合や噴射後の内容物を均一に塗り広げる場合には、ヘッドカバー７０を装着したままの状態で払拭部７４を作業面に押し当てても、ヘッドカバー７０はボディ１０の上面及び側面を覆って保持されているので、加えた力をそのまま作業面に与えて効率よく作業を行うことができる。
【００２４】
また、ヘッドカバー７０を取り外して作業する場合には、爪部７５ａを押し上げるとともにヘッドカバー７０を背面側にスライドさせるだけでこれを取り外すことができ、また、ヘッドカバー７０そのものを把持することができるので、従来の払拭具に比べて持ちやすく、しかも作業面へ力を加えやすくなる。そして、使用後のヘッドカバー７０は、背面側からスライドさせるだけで、爪部７５ａ及び凸部７１ａがボディ１０に係合するので、簡単に取り付けることができる。
【００２５】
そして、本実施の形態においては、ヘッドカバー７０を直接ボディ１０に装着しているが、ボディ１０に予め保護カバーが備え付けられている噴出器にあっては、この保護カバー上からヘッドカバー７０を装着してもよい。
【００２６】
また、図４〜図６に示すように、ヘッドカバー７０には、ボディ１０の背面側にて側面側隔壁７２同士をつなぐ連結部７２ｂを設けてもよい。これによりヘッドカバー７０は、連結部７２ｂによって補強されるので、取り外して使用する際にも変形し難くなって作業面への力の付与がより効果的に行えるようになる。
【産業上の利用可能性】
【００２７】
本発明によれば、ヘッドカバーを払拭具として取り外して使用できるので、把持できる領域が広くなって持ちやすくなり、またこれにより作業面に力を入れやすくなるので作業を効率的に行うことができる。さらに、噴出器に装着したままでも作業を行うことができるので、作業状況に応じてヘッドカバーの取り付け、取り外しを選択できる、使い勝手のよいトリガー式液体噴出器を提供することができる。
【符号の説明】
【００２８】
１０  ボディ
１０ａ  係合部
１０ｂ  凹部
１１  ポンプ
４０  噴射ノズル
５０  操作レバー
７０  ヘッドカバー
７１  上面側隔壁（隔壁）
７１ａ  凸部
７２  側面側隔壁（隔壁）
７３  背面側隔壁（隔壁）
７４  払拭部
７５  係止片（抜け止め係止片）
７６  段部
７７  突起
【図１】
0005917268.tif 000002
【図２】
0005917268.tif 000003
【図３】
0005917268.tif 000004
【図４】
0005917268.tif 000005
【図５】
0005917268.tif 000006
【図６】
0005917268.tif 000007